(57)【特許請求の範囲】
【請求項１】
ＩＰ網に接続可能な電話端末であって、
自端末のＩＰアドレスを決定する第１のダイヤル情報を入力する第１ダイヤル入力手段と、決定された前記ＩＰアドレスを記憶する自端末アドレス記憶手段と、自端末の電話番号を決定する第２のダイヤル情報を入力する第２ダイヤル入力手段と、決定された前記電話番号を記憶する自端末電話番号記憶手段と、自端末が帰属するサーバのＩＰアドレスを決定する第３のダイヤル情報を入力する第３ダイヤル入力手段と、決定された前記サーバのＩＰアドレスを記憶するサーバアドレス記憶手段と、を有し、
電源が投入された場合または予め定められた特定の操作が為された場合に、前記自端末のＩＰアドレスまたは電話番号または自端末が帰属するサーバのＩＰアドレスが前記の各記憶手段に記憶されているか否かを判定し、記憶されていないと判定されたならば、前記各入力手段は第１または第２または第３のダイヤル情報の入力を促す内容を自端末の表示部に表示し、
前記表示した後に入力された第１または第２または第３のダイヤル情報により決定された自端末のＩＰアドレスまたは電話番号または自端末が帰属するサーバのＩＰアドレスを対応する記憶手段に記憶すると共に、前記自端末のＩＰアドレスまたは電話番号を前記自端末が帰属するサーバへ通知し、予め定められた特定のキー入力があった場合に、前記第１のダイヤル情報により決定された自端末のＩＰアドレスを、前記第２のダイヤル情報として自端末の電話番号を決定することを特徴とする初期設定機能を有するＩＰ電話端末。
【請求項２】
請求項１に記載のＩＰ電話端末において、
自端末にはＤＨＣＰサーバに対してＩＰアドレスの割り当てを要求するＤＨＣＰクライアント機能を更に有して、
前記第１のダイヤル情報の入力が省略された場合、または前記第１のダイヤル情報として予め定められた特定のキー入力があった場合に、前記ＤＨＣＰクライアント機能によって所定のＤＨＣＰサーバからＩＰアドレスを取得し、前記取得したＩＰアドレスの一部または全てを前記第２のダイヤル情報として自端末の電話番号を決定することを特徴とする初期設定機能を有するＩＰ電話端末。
【発明の詳細な説明】
【技術分野】
【０００１】
本発明は、ＩＰ(Internet Protocol)網に接続されるＩＰ電話端末において、初期設定時にその端末を利用可能な状態とするために必要な、端末のＩＰアドレスや電話番号、登録先のサーバアドレスの登録操作を簡便化する技術に関するものである。
【背景技術】
【０００２】
従来のＩＰ電話端末では、該電話端末を利用可能な状態とするために、必要な情報を外部に接続されたパソコンから設定し、あるいは、ＤＨＣＰ(Dynamic Host Configuration Protocol)サーバやＦＴＰ(File
Transfer Protocol)サーバ等から、必要なデータを取得していた。
【０００３】
このことは、例えば、特許文献１及び特許文献２に示されている。特許文献１には、電話端末をＩＰネットワークに接続すると、ＤＨＣＰ装置が主装置に端末登録要求を出し、主装置は電話番号を自動的に割当て端末登録処理を行い、ＤＨＣＰ装置は電話端末に返すネットワーク情報の通知に、主装置のＩＰアドレスと割り当てられた電話番号を含めて通知し、電話端末は受信した主装置のＩＰアドレスと電話番号とを自端末の情報として設定することにより、電話端末の登録を自動化する技術が開示されている。
【０００４】
また、特許文献２には、ＩＰ電話機と、ＩＰ電話機にＩＰアドレスを割り当てるＤＨＣＰサーバと、ＩＰ電話機の設定データを蓄積するＦＴＰサーバとがネットワークで接続され、ＩＰ電話機が、起動後、ＤＨＣＰサーバからＦＴＰサーバのアドレス及び設定データのファイル名を取得し、そのＦＴＰサーバから設定データを取得して、当該ＩＰ電話機の詳細設定を自動で行う技術が開示されている。
【特許文献１】特開２００７−２６６７９９号公報
【特許文献２】特開２００６−３３９８０３号公報
【発明の開示】
【発明が解決しようとする課題】
【０００５】
しかし、特許文献１の方法では、ＤＨＣＰサーバ上に各ＩＰ電話端末に割当てるＩＰアドレス値や電話番号などの動作パラメータを要求した端末のＭＡＣ（Media Access Control）アドレス値に対応づけて登録しておくため、ＩＰ電話端末を増設する際にＤＨＣＰサーバ側に動作パラメータを追加登録する必要が生じる、あるいは、故障等によりＭＡＣアドレス値の異なるＩＰ電話端末に交換する際に同じＩＰアドレス値や電話番号を割当てることができなくなるといった不都合があった。
【０００６】
また、特許文献２の方法では、あらかじめ各ＩＰ電話端末が必要とする電話番号やサーバアドレスなどの動作パラメータを情報ファイルとして生成し、ＦＴＰサーバに格納しておく必要があり、使用者が任意の電話番号に設定したり、変更したりすることができないといった不都合があった。
【０００７】
さらに、これら従来の方法では、ＩＰ電話システムを構成するサーバや全てのＩＰ電話端末が、これらの動作パラメータの送信を要求する必要がある、あるいは、配信された情報を取得する機能を具備している必要があり、これら機能を具備していない他の端末を混在させることができず、またサーバやＩＰ電話端末の構成が複雑化するといった不都合が生じていた。
【０００８】
そこで、本発明の課題は、これらの従来の欠点を解決するために、サーバ等の外部装置を用いることなく、ＩＰ電話端末が通常具備する機能を用いて、必要とする動作パラメータを簡単に設定させることにある。
【課題を解決するための手段】
【０００９】
本発明の初期設定機能を有するＩＰ電話端末は、ＩＰ網に接続可能な電話端末であって、自端末のＩＰアドレスを決定する第１のダイヤル情報を入力する第１ダイヤル入力手段と、決定された前記ＩＰアドレスを記憶する自端末アドレス記憶手段と、自端末の電話番号を決定する第２のダイヤル情報を入力する第２ダイヤル入力手段と、決定された前記電話番号を記憶する自端末電話番号記憶手段と、自端末が帰属するサーバのＩＰアドレスを決定する第３のダイヤル情報を入力する第３ダイヤル入力手段と、決定された前記サーバのＩＰアドレスを記憶するサーバアドレス記憶手段と、を有し、電源が投入された場合または予め定められた特定の操作が為された場合に、前記自端末のＩＰアドレスまたは電話番号または自端末が帰属するサーバのＩＰアドレスが前記の各記憶手段に記憶されているか否かを判定し、記憶されていないと判定されたならば、前記各入力手段は第１または第２または第３のダイヤル情報の入力を促す内容を自端末の表示部に表示し、前記表示した後に入力された第１または第２または第３のダイヤル情報により決定された自端末のＩＰアドレスまたは電話番号または自端末が帰属するサーバのＩＰアドレスを対応する記憶手段に記憶すると共に、前記自端末のＩＰアドレスまたは電話番号を前記自端末が帰属するサーバへ通知し、予め定められた特定のキー入力があった場合に、前記第１のダイヤル情報により決定された自端末のＩＰアドレスを、前記第２のダイヤル情報として自端末の電話番号を決定する。
【発明の効果】
【００１０】
本発明によれば、ユーザや工事者は初期設定時に必要な情報を抜けなく設定することができ、またダイヤル入力で任意のＩＰアドレス値を指定できたり、ＤＨＣＰによる取得を指示したりすることができＩＰ電話端末の可用性を高めることができる。
【発明を実施するための最良の形態】
【００１１】
以下に、本発明の実施の形態について図面を用いて説明する。
【実施例１】
【００１２】
図１は、本発明の実施例としてＩＰ電話端末１の構成を示す機能ブロック図である。ＩＰ電話端末１は、ユーザが希望する動作パラメータを入力するダイヤルキー１３と、本発明による自端末のＩＰアドレス値の入力を受け付ける第１のダイヤル入力部５１と入力した自端末のＩＰアドレス値を記憶する自端末のＩＰアドレス記憶部６１と、本発明による自端末の電話番号の入力を受け付ける第２のダイヤル入力部５２と入力した自端末の電話番号を記憶する自端末の電話番号記憶部６２と、本発明によるＳＩＰ（Session Initiation Protocol）サーバのＩＰアドレス値の入力を受け付ける第３のダイヤル入力部５３と入力したＳＩＰサーバのＩＰアドレス値を記憶するＳＩＰサーバのアドレス記憶部６３と、入力すべき項目を表示し、あるいは、入力したダイヤル内容を表示する表示器(ＬＣＤ)１２と、ＩＰ通信部４１を介してＩＰ網４にネットワーク接続されたＤＨＣＰサーバ２からＩＰアドレス等の情報を取得するＤＨＣＰクライアント部２１と、ＩＰ通信部４１を介してＩＰ網４にネットワーク接続されたＳＩＰサーバ３と接続するＳＩＰサーバ制御部３１と、ＩＰ電話端末１全体を制御する制御部１１とから構成されている。
【００１３】
尚、本実施例１によるＩＰ電話端末は、ダイヤルボタンを有する電話機形状の電話端末として示しているが、外部接続のダイヤル機能を有する電話機を接続するターミナルアダプタやゲートウェイ形状の端末でもよい。
【００１４】
図２は、本発明によるＩＰ電話端末１における電源投入時または起動時の表示とダイヤル入力操作の一例を示すシーケンス図であり、電源投入時または起動時に表示器(ＬＣＤ)１２に自端末のＩＰアドレス値の入力を促すメッセージ１２１を表示し、続いてダイヤルキー１３から自端末のＩＰアドレス値を入力するダイヤル操作１３１を第１のダイヤル入力部５１で入力し、入力終了を示すダイヤル“＊”の入力により(１３２)、自端末のＩＰアドレス値を自端末のＩＰアドレス記憶部６１に格納する。
【００１５】
次に、表示器(ＬＣＤ)１２に自端末の電話番号の入力を促すメッセージ１２２を表示し、続いてダイヤルキー１３から自端末の電話番号を入力するダイヤル操作１３３を第２のダイヤル入力部５２で入力し、入力終了を示すダイヤル“＊”の入力により(１３４)、自端末の電話番号を自端末の電話番号記憶部６２に格納する。
【００１６】
次に、表示器(ＬＣＤ)１２に接続先のＳＩＰサーバのＩＰアドレス値の入力を促すメッセージ１２３を表示し、続いてダイヤルキー１３からＳＩＰサーバのＩＰアドレス値を入力するダイヤル操作１３５を第３のダイヤル入力部５３で入力し、入力終了を示すダイヤル“＊”の入力により(１３６)、ＳＩＰサーバのＩＰアドレス値をＳＩＰサーバのアドレス記憶部６３に格納する。
【００１７】
ＳＩＰサーバのＩＰアドレス値の入力が完了すると、該ＩＰ電話端末１は、表示器(ＬＣＤ)１２にＳＩＰサーバ登録開始画面１２４を表示し、ＲＥＧＩＳＴＥＲメッセージ３１１を組立て、帰属するＳＩＰサーバ３に前記メッセージ３１１を送出して該端末のＩＰアドレス値と電話番号とを登録する。ＳＩＰサーバ３からの登録受付レスポンス(２００ＯＫ)３１２を受信すると、表示器(ＬＣＤ)１２にＳＩＰサーバ登録完了画面１２５を表示する。
【００１８】
図３は、本発明によるＩＰ電話端末１の制御部１１の判断処理を示すフローチャートである。電源投入または起動の開始時(Ｓ１１００)に、自端末のＩＰアドレス記憶部６１と自端末の電話番号記憶部６２とＳＩＰサーバのアドレス記憶部６３に情報が登録されていて動作パラメータ登録済である場合(Ｓ１１０１，Ｙ)、「ア」の状態に移行し、その登録情報に基づき、帰属するＳＩＰサーバ３にＲＥＧＩＳＴＥＲ(登録要求)メッセージを送信し(Ｓ１１３１)、２００ＯＫ(登録完了)レスポンスの受信(Ｓ１１３２)で待機状態に遷移する(Ｓ１１３３)。
【００１９】
また、Ｓ１１０１において、自端末のＩＰアドレス記憶部６１と自端末の電話番号記憶部６２とＳＩＰサーバのアドレス記憶部６３に情報が登録されていない場合、表示器(ＬＣＤ)１２に自端末のＩＰアドレス値の入力を促すメッセージを表示し(Ｓ１１０２)、ダイヤルの入力を監視する(Ｓ１１０３、Ｓ１１０４)。
【００２０】
最初の入力ダイヤルが“＃”であった場合(Ｓ１１０３，Ｙ)、すべてのパラメータを自動設定するモードとして認識し、ＤＨＣＰクライアント機能を起動して(Ｓ１１２３)、ＤＨＣＰサーバからアドレスを取得し(Ｓ１１２４)、取得したＩＰアドレス情報を自端末ＩＰアドレス記憶部６１に保存する(Ｓ１１２５)。次に、前記Ｓ１１２５で決定・保存したＩＰアドレスの最終オクテットを自端末の電話番号として利用し(Ｓ１１２６)、自端末の電話番号記憶部６２に保存する(Ｓ１１２７)。次に、あらかじめ登録されている初期値のＳＩＰサーバアドレスをＳＩＰサーバのＩＰアドレスとして(Ｓ１１２８)、ＳＩＰサーバのアドレス記憶部６３に保存する(Ｓ１１２９)。
【００２１】
次に、「ア」の状態に移行し、自端末のＩＰアドレス記憶部６１及び自端末の電話番号記憶部６２、及びＳＩＰサーバのアドレス記憶部６３に保存された情報に基づき、帰属するＳＩＰサーバ３にＲＥＧＩＳＴＥＲ(登録要求)メッセージを送出し(Ｓ１１３１)、２００ＯＫ(登録完了)レスポンスの受信(Ｓ１１３２)で待機状態に遷移する(Ｓ１１３３)。
【００２２】
最初の入力ダイヤルが“＊”であった場合(Ｓ１１０４，Ｙ)、ＩＰアドレス値の入力が省略されたと判断し、ＤＨＣＰクライアント機能を起動して(Ｓ１１０８)、ＤＨＣＰサーバからアドレスを取得し(Ｓ１１０９)、取得したＩＰアドレス情報を自端末のＩＰアドレス記憶部６１に保存する(Ｓ１１１０)。
【００２３】
複数のダイヤル入力がなされ(Ｓ１１０５)、最後にダイヤル“＊”が入力された場合(Ｓ１１０６，Ｙ)、自端末のＩＰアドレスを構成する必要桁数が揃ったかを確認し(Ｓ１１０７，Ｙ)、必要桁数が揃った場合には、入力された値を自端末のＩＰアドレス記憶部６１に保存する(Ｓ１１１０)。このとき、自端末のＩＰアドレスを構成する必要桁数が揃っていなかった場合(Ｓ１１０７，Ｎ)、Ｓ１１０２に戻り、再度自端末のＩＰアドレス値の入力を行う。
【００２４】
次に、表示器１２に自端末の電話番号の入力を促すメッセージを表示し(Ｓ１１１１)、ダイヤルの入力を監視する(Ｓ１１１２、Ｓ１１１３)。最初の入力ダイヤルが“＊”であった場合(Ｓ１１１２，Ｙ)、電話番号の入力が省略されたと判断し、前記Ｓ１１１０で決定したＩＰアドレスの最終オクテットを自端末の電話番号として利用し(Ｓ１１１５)、自端末の電話番号記憶部６２に保存する(Ｓ１１１６)。複数のダイヤル入力がなされ(Ｓ１１１３)、最後にダイヤル“＊”が入力された場合(Ｓ１１１４，Ｙ)、入力された値を自端末の電話番号記憶部６２に保存する(Ｓ１１１６)。
【００２５】
次に、表示器１２にＳＩＰサーバのＩＰアドレス値の入力を促すメッセージを表示し(Ｓ１１１７)、ダイヤルの入力を監視する(Ｓ１１１８、Ｓ１１１９)。最初の入力ダイヤルが“＊”であった場合(Ｓ１１１８，Ｙ)、サーバのＩＰアドレス入力が省略されたと判断しあらかじめ登録されている初期値のＳＩＰサーバアドレスをＳＩＰサーバのＩＰアドレス値として(Ｓ１１２２)、ＳＩＰサーバのアドレス記憶部６３に保存する(Ｓ１１２９)。
【００２６】
複数のダイヤル入力がなされ(Ｓ１１１９)、最後にダイヤル“＊”が入力された場合(Ｓ１１２０,Ｙ)、ＳＩＰサーバのＩＰアドレスを構成する必要桁数が揃ったかを確認し(Ｓ１１２１,Ｙ)、入力された値をＳＩＰサーバのアドレス記憶部６３に保存する(Ｓ１１２９)。このとき、ＳＩＰサーバのＩＰアドレスを構成する必要桁数が揃っていなかった場合(Ｓ１１２１,Ｎ)、Ｓ１１１７に戻り、再度ＳＩＰサーバのＩＰアドレス値の入力を行う。
【００２７】
次に、「ア」の状態に移行し、自端末のＩＰアドレス記憶部６１及び自端末の電話番号記憶部６２、及びＳＩＰサーバのアドレス記憶部６３に保存された情報に基づき、帰属するＳＩＰサーバ３にＲＥＧＩＳＴＥＲ(登録要求)メッセージを送出し(Ｓ１１３１)、２００ＯＫ(登録完了)レスポンスの受信(Ｓ１１３２)で待機状態に遷移する(Ｓ１１３３)。
【００２８】
図４は、図３の制御部１１の判断処理において、一部の情報の入力を省略した場合の表示とダイヤル操作の一例を示すシーケンス図で、図２と同様に、電源投入または起動後、自端末のＩＰアドレス値の入力を促すメッセージ１２１を表示器(ＬＣＤ)１２に表示する。次に、自端末のＩＰアドレス入力を第１のダイヤル入力部５１で入力するが、入力の省略を意味するダイヤル“＊”が入力されると(１３２)、ＤＨＣＰクライアント機能を有効としＤＨＣＰサーバ２からＩＰアドレス等の情報を取得する(２１１、２１２)。
【００２９】
次に、自端末の電話番号の入力を促すメッセージ１２２を表示器(ＬＣＤ)１２に表示する。続いてダイヤルキー１３から自端末の電話番号を入力するダイヤル操作１３３を第２のダイヤル入力部５２で入力し、自端末の電話番号記憶部６２に保存する(１３３、１３４)。このとき、入力の省略を意味するダイヤル“＊”が入力された場合、前述の操作で決定した自端末のＩＰアドレスの最終オクテットを電話番号として自端末の電話番号記憶部６２に保存する。
【００３０】
次に、サーバアドレスの入力を示すメッセージ１２３を表示器(ＬＣＤ)１２に表示する。  続いてサーバアドレスの一部の桁(最終オクテット)１３５と入力終了を示すダイヤル“＊”(１３６)が入力された場合、初期値もしくは前述の自端末のＩＰアドレスの入力で決定されたＩＰアドレスの最終オクテットを本操作で入力した値に変換してＳＩＰサーバのＩＰアドレス値として、ＳＩＰサーバのアドレス記憶部６３に保存する。
【００３１】
次に、ＳＩＰサーバ登録を開始し（１２４）、自端末のＩＰアドレス記憶部６１及び自端末の電話番号記憶部６２、及びＳＩＰサーバのアドレス記憶部６３に保存された情報に基づき必要な情報パラメータを組立て、帰属するＳＩＰサーバ３にＲＥＧＩＳＴＥＲ(登録要求)メッセージを送出し(３１１)、２００ＯＫ(登録完了)レスポンスの受信(３１２)でＳＩＰサーバ登録を完了する(１２５)。
【００３２】
なお、本発明の実施例１の説明では、自端末が帰属するサーバとしてSＩＰサーバを例として説明したが、SＩＰサーバに限られず、それ以外に、Ｈ．３２３、ＭＧＣＰ（Media Gateway Control Protocol）等のＩＰ電話システム用のサーバを用いることができる。
また、ダイヤル情報の入力を促すメッセージを表示器(ＬＣＤ)に表示することを例として説明したが、トーンやガイダンスメッセージ等を用いて情報の入力を促す方法でもよい。
【図面の簡単な説明】
【００３３】
【図１】図１は、本発明によるＩＰ電話端末のブロック構成を示す図である。
【図２】図２は、本発明によるＩＰ電話端末の表示とダイヤル入力操作の一例を示すシーケンス図である。
【図３】図３は、本発明によるＩＰ電話端末の制御部１１の動作を示すフローチャートである。
【図４】図４は、本発明によるＩＰ電話機において入力を省略した場合の操作の一例を示すシーケンス図である。
【符号の説明】
【００３４】
１    ＩＰ電話端末
２    ＤＨＣＰサーバ
３    ＳＩＰサーバ
１１    制御部
１２    表示器
１３    ダイヤルキー
３１    ＳＩＰサーバ制御部
４１    ＩＰ通信部
５１    第１のダイヤル入力部
５２    第２のダイヤル入力部
５３    第３のダイヤル入力部
６１    自端末のＩＰアドレス記憶部
６２    自端末の電話番号記憶部
６３    ＳＩＰサーバのアドレス記憶部
【図１】
0005104395.tif 000002
【図２】
0005104395.tif 000003
【図３】
0005104395.tif 000004
【図４】
0005104395.tif 000005